(57)【要約】【課題】  ＩＰネットワークにおける輻輳を抑える輻輳制御技術の提供。【解決手段】  セッション不完了情報蓄積手段（２０３）、トラヒック計測手段（２０１）、輻輳制御を発動する輻輳判定手段（２０２）、輻輳制御を解除する規制解除判定手段（２０５）、セッション不完了情報蓄積手段に蓄積されたセッション確立に失敗したセッション確立要求に関する情報に基づいてセッション確立要求を規制するセッション確立要求規制手段（２０４）を設けた。これにより、特定アドレスや特定地域への集中過負荷が生じても、セッション確立の不完了が生じたアドレスや該アドレスに対応する不完了数を記録し利用することにより集中過負荷アドレスや地域を推定し、再発信の多いアドレスに対するセッション確立要求を規制し該アドレスや地域の輻輳の発生を回避することができる。【選択図】      図２
2005167770.tif 000002
【特許請求の範囲】
【請求項１】
発ＩＰ端末と、着ＩＰ端末と、該発ＩＰ端末と着ＩＰ端末の間のセッション確立を制御するセッション設定処理装置と、ロケーションサーバを有するＩＰネットワークの輻輳を制御する輻輳制御装置であって、
セッション確立に失敗したセッション確立要求に関する情報を蓄積するセッション不完了情報蓄積手段と、
前記セッション設定処理装置の処理負荷を計測するトラヒック計測手段と、
前記トラヒック計測手段により計測したセッション設定処理装置の処理負荷が所定の閾値以上の場合に輻輳状態と判定し、輻輳制御が発動されていなければ輻輳制御を発動する輻輳判定手段と、
前記トラヒック計測手段により計測したセッション設定処理装置の処理負荷が所定の閾値未満の場合に輻輳でないと判定し、輻輳制御が発動されていれば該輻輳制御を解除する規制解除判定手段と、
新たに生起したセッション確立要求を規制するセッション確立要求規制手段
とを有することを特徴とする輻輳制御装置。
【請求項２】
請求項１に記載の輻輳制御装置において、
前記セッション確立に失敗したセッション確立要求に関する情報は、セッション確立要求の着ＩＰ端末のアドレス、あるいは、発ＩＰ端末のアドレスと着ＩＰ端末のアドレスの対、あるいは、発ＩＰ端末のアドレスのいずれかであることを特徴とする輻輳制御装置。
【請求項３】
請求項２に記載の輻輳制御装置において、
前記セッション確立要求規制手段は、前記輻輳判定手段により輻輳状態と判定された場合に、輻輳の間に新たに生起したセッション確立要求ごとに、新たに生起したセッション確立要求の着ＩＰ端末のアドレスとセッション不完了情報蓄積手段により蓄積されているすべての着ＩＰ端末アドレスを比較し、あるいは、新たに生起したセッション確立要求の発ＩＰ端末アドレスと着ＩＰ端末アドレスの対とセッション不完了情報蓄積手段により蓄積されている着ＩＰ端末アドレスと発ＩＰ端末アドレスの対のすべてを比較し、あるいは、新たに生起したセッション確立要求の発ＩＰ端末アドレスとセッション不完了情報蓄積手段により蓄積されている発ＩＰ端末アドレスのすべてを比較し、新たに生起したセッション確立要求の着ＩＰ端末アドレスと同一アドレス、あるいは、発ＩＰ端末アドレスと着ＩＰ端末アドレスの対と同一の対、あるいは発ＩＰ端末アドレスと同一のアドレスのいずれかがすでに前記セッション不完了情報蓄積手段に蓄積されている場合に該セッションの確立要求をあらかじめ決められた方法で規制するものであることを特徴とする輻輳制御装置。
【請求項４】
請求項３に記載の輻輳制御装置において、
前記あらかじめ決められた方法は、該セッション確立要求を無条件で規制する方法、あるいは、該セッション確立要求を前記セッション不完了情報蓄積手段に蓄積されている該セッションの不完了数に依存した予め定められた確率で規制する方法、あるいは、該セッション確立要求の不完了数が予め決められた値より大きいかどうか判断し大きい場合に規制する方法、あるいは、該セッション確立要求の不完了数が予め決められた値より小さいどうか判断し小さい場合に規制する方法のいずれかを含むことを特徴とする輻輳制御装置。
【請求項５】
請求項２から４のいずれか１項に記載の輻輳制御装置において、
前記セッション不完了情報蓄積手段に蓄積されている情報の一部の複製を蓄積するセッション不完了情報部分複製蓄積手段を備えたことを特徴とする輻輳制御装置。
【請求項６】
請求項５に記載の輻輳制御装置において、
前記セッション不完了情報部分複製蓄積手段に蓄積される情報の選択方法は、セッション不完了情報蓄積手段に蓄積されている着端末アドレス、あるいは、着端末アドレスと発端末アドレスの対、あるいは、発端末アドレスのうち、アドレスがセッション不完了情報蓄積手段に蓄積された時刻について、現在から過去にさかのぼって時刻の新しい順番にアドレスを並べたとき、１番目のアドレスからｋ番目（ｋはあらかじめ決められた１以上の整数パラメータ）までのアドレス、あるいは、アドレス数がｋ以下であればすべてのアドレス、を選択する方法を含むことを特徴とする輻輳制御装置。
【請求項７】
請求項１に記載の輻輳制御装置において、
前記セッション確立に失敗したセッション確立要求に関する情報は、セッション確立要求の着ＩＰ端末アドレスごとのセッション確立要求不完了数、あるいは、発ＩＰ端末のアドレスと着ＩＰ端末のアドレスの対ごとのセッション確立不完了数、あるいは、セッション確立要求の発ＩＰ端末のアドレスごとのセッション確立要求不完了数であることを特徴とする輻輳制御装置。
【請求項８】
請求項７に記載の輻輳制御装置において、
前記セッション確立要求規制手段は、前記輻輳判定手段により輻輳が生じたと判定された場合に、輻輳の間に新たに生起したセッション確立要求ごとに、前記セッション不完了情報蓄積手段に蓄積されている着ＩＰ端末アドレスごとの、あるいは、発ＩＰ端末アドレスと着ＩＰ端末アドレスの対ごとの、あるいは、発ＩＰ端末アドレスごとのセッション確立要求不完了数のうち、最大値から小さい方に向かってｎ１（ｎ１はあらかじめ決められた１以上の正の整数パラメータ）番目までに対応する、あるいは、最小値から大きい方に向かってｍ１番目（ｍ１はあらかじめ決められた１以上の正の整数パラメータ）までに対応する、着ＩＰ端末アドレスの集合、あるいは、発ＩＰ端末アドレスと着ＩＰ端末アドレスの対の集合、あるいは発ＩＰ端末アドレスの集合に、該セッション確立要求の着ＩＰ端末アドレス、あるいは、発ＩＰ端末アドレスと着ＩＰ端末アドレスの対、あるいは、発ＩＰ端末アドレスと一致するアドレスが入っている場合に、該セッション確立要求をあらかじめ決められた方法で規制するものであることを特徴とする輻輳制御装置。
【請求項９】
請求項８に記載の輻輳制御装置において、
前記あらかじめ決められた方法は、該セッション確立要求を無条件で規制する方法、あるいは、セッション確立不完了数に依存するあらかじめ決められた確率で規制する方法、あるいは、該セッション確立要求の不完了数が予め決められた値より大きいかどうか判断し大きい場合にセッション確立を規制する方法、あるいは、該セッション確立要求の不完了数が予め決められた値より小さいどうか判断し小さい場合にセッション確立を規制する方法、のいずれかを含むことを特徴とする輻輳制御装置。
【請求項１０】
請求項７から９のいずれか１項に記載の輻輳制御装置において、
セッション不完了情報蓄積手段に蓄積されている情報の一部の複製を蓄積するセッション不完了情報部分複製蓄積手段を備えたことを特徴とする輻輳制御装置。
【請求項１１】
請求項１０に記載の輻輳制御装置において、
前記セッション不完了情報部分複製蓄積手段に蓄積される情報の選択方法は、前記セッション不完了情報蓄積手段に蓄積されている着端末アドレス、あるいは、着端末アドレスと発端末アドレスの対、あるいは、発端末アドレスごとのセッション確立要求不完了数のうち、最大値から小さい方に向かってｎ２（ｎ２はあらかじめ決められた１以上の正の整数パラメータ）番目までに対応する、あるいは、最小値から大きい方に向かってｍ２（ｍ２はあらかじめ決められた１以上の正の整数パラメータ）番目までに対応する着ＩＰ端末アドレスのすべて、あるいは、発ＩＰ端末アドレスと着ＩＰ端末アドレスの対のすべて、あるいは、発ＩＰ端末アドレスのすべてを選択する方法を含むことを特徴とする輻輳制御装置。
【請求項１２】
請求項５から１１のいずれか１項に記載の輻輳制御装置において、
セッション確立要求規制手段は、前記輻輳判定手段により輻輳が生じたと判定された場合に、輻輳の間に新たに生起したセッション確立要求ごとに、新たに生起したセッション確立要求の着ＩＰ端末のアドレスとセッション不完了情報部分複製蓄積手段により蓄積されているすべての着ＩＰ端末アドレスを比較し、あるいは、新たに生起したセッション確立要求の着ＩＰ端末アドレスと発ＩＰ端末アドレスの対とセッション不完了情報部分複製蓄積手段により蓄積されている着ＩＰ端末アドレスと発ＩＰ端末アドレスの対のすべてを比較し、あるいは、新たに生起したセッション確立要求の発ＩＰ端末アドレスとセッション不完了情報部分複製蓄積手段により蓄積されている発ＩＰ端末アドレスのすべてを比較し、新たに生起したセッション確立要求の着ＩＰ端末アドレスと同一アドレス、あるいは、発ＩＰ端末アドレスと着ＩＰ端末アドレスの対と同一の対、あるいは発ＩＰ端末アドレスと同一のアドレスがすでにセッション不完了情報部分複製蓄積手段により蓄積されている場合に該セッションの確立要求をあらかじめ決められた方法で規制するものであることを特徴とする輻輳制御装置。
【請求項１３】
請求項４または１２に記載の輻輳制御装置において、
前記あらかじめ決められた方法は、該セッション確立要求を無条件で規制する方法、あるいは、該セッション確立要求をあらかじめ決められた確率で規制する方法のいずれかを含むことを特徴とする輻輳制御装置。
【請求項１４】
請求項１から１３のいずれか１項に記載の輻輳制御装置において、
該輻輳制御装置は、前記セッション設定処理装置ごとに外付けされるか、あるいは、セッション設定処理装置に内蔵されていることを特徴とする輻輳制御装置。
【請求項１５】
発ＩＰ端末と、着ＩＰ端末と、該発ＩＰ端末と着ＩＰ端末の間のセッション確立を制御するセッション設定処理装置と、ロケーションサーバを有するＩＰネットワークの輻輳を制御する輻輳制御方法であって、
セッション確立に失敗したセッション確立要求に関する情報を蓄積するセッション不完了情報蓄積ステップと、
前記セッション設定処理装置の処理負荷を計測するトラヒック計測ステップと、
前記トラヒック計測ステップにより計測したセッション設定処理装置の処理負荷が所定の閾値以上の場合に輻輳状態と判定し、輻輳制御が発動されていなければ輻輳制御を発動する輻輳判定ステップと、
前記トラヒック計測ステップにより計測したセッション設定処理装置の処理負荷が所定の閾値未満の場合に輻輳でないと判定し、輻輳制御が発動されていれば該輻輳制御を解除する規制解除判定ステップと、
前記セッション不完了情報蓄積手段に蓄積されたセッション確立に失敗したセッション確立要求に関する情報を参照して、新たに生起したセッション確立要求を規制するセッション確立要求規制ステップ
とを有することを特徴とする輻輳制御方法。
【請求項１６】
発ＩＰ端末と、着ＩＰ端末と、該発ＩＰ端末と着ＩＰ端末の間のセッション確立を制御するセッション設定処理装置と、ロケーションサーバを有するＩＰネットワークの輻輳を制御するための輻輳制御用プログラムであって、
セッション確立に失敗したセッション確立要求に関する情報を蓄積するセッション不完了情報蓄積手段と、前記セッション設定処理装置の処理負荷を計測するトラヒック計測手段と、前記トラヒック計測手段により計測したセッション設定処理装置の処理負荷が所定の閾値以上の場合に輻輳状態と判定し、輻輳制御が発動されていなければ輻輳制御を発動する輻輳判定手段と、前記トラヒック計測手段により計測したセッション設定処理装置の処理負荷が所定の閾値未満の場合に輻輳でないと判定し、輻輳制御が発動されていれば該輻輳制御を解除する規制解除判定手段と、前記セッション不完了情報蓄積手段に蓄積されたセッション確立に失敗したセッション確立要求に関する情報を参照して、新たに生起したセッション確立要求を規制するセッション確立要求規制手段をコンピュータで実現するための輻輳制御用プログラム。
【発明の詳細な説明】
【技術分野】
【０００１】
本発明は、音声通信や映像通信などのサービスを提供するＩＰネットワークの輻輳を制御する輻輳制御装置、輻輳制御方法および輻輳制御用プログラムに関するものである。
【背景技術】
【０００２】
電話サービスを提供する電話ネットワークでは、台風、地震等の自然災害により全国から被災地向けの通話の量が平常時の数十倍、数百倍に達する集中過負荷の状態が生じる場合がある。
【０００３】
被災地向けへの集中過負荷が生じると、集中過負荷に対して適切な制御を行わないと、被災地向けの通話のみならず、被災地向け以外への通話もつながりにくい、あるいは、全くつながらないというネットワークの輻輳が生じる。
【０００４】
このため、輻輳が生じた場合に、通話が集中する地域向けの通話の接続要求の処理の数をある定められた値以下に規制して、すなわち、接続処理をしても最終的にはつながらない可能性の高い被災地向けの通話要求をネットワークの入り口、具体的には、加入者線交換機等においてある一定値以下に抑えて、ネットワークが提供できる最大限の通話の完了呼数を輻輳が生じた場合にも確保する輻輳制御が考案され、実用に供されている（文献：榊原、堤：“電話網におけるトラヒック制御について”、電子通信学会誌、Vol.62,No.12,pp.1385-1392,1979、徳永、川野：“呼数密度制御に基づくトラヒックふくそう制御”、電子通信学会論文誌B,Vol.J71-B,No.3,pp.322-329,1988）（非特許文献１）。
【０００５】
集中過負荷となっている地域向けの通話接続要求を規制するには、ネットワーク内の交換機で通話接続要求の処理を行う際に被災地向けの通話かどうかを判別する必要があるが、いわゆる0AB〜J番号体系を使用する加入電話サービスでは、電話番号により被災地向けの通話接続要求がどうか判別できた。
【０００６】
一方、例えば、ＩＰ電話を提供するネットワークでは、0AB〜J番号体系のほかにＩＰ電話専用の050番号体系も用いられることとなっている。050番号体系では、電話番号と物理的な地域の対応、例えば、通話の相手のＩＰ電話クライアント端末がどの地域に存在するかを電話番号により知ることはできない。
【０００７】
このため、ＩＰ電話のネットワークにおいて地域的な集中過負荷が生じた場合に、どの地域が集中過負荷地域であるかを判別すること、さらに、集中過負荷地域への通話接続要求を規制すること、が通話接続相手のＩＰ電話専用の番号の情報のみで行うことが難しかった。
【０００８】
【非特許文献１】榊原、堤：“電話網におけるトラヒック制御について”、電子通信学会誌、Vol.62,No.12,pp.1385-1392,1979、徳永、川野：“呼数密度制御に基づくトラヒックふくそう制御”、電子通信学会論文誌B,Vol.J71-B,No.3,pp.322-329,1988）
【発明の開示】
【発明が解決しようとする課題】
【０００９】
本発明は、上記事情に鑑みてなされたものであり、ＩＰネットワークにおいて、特定の地域あるいは特定のアドレス、あるいは番号に集中的にセッション確立要求が発生することによって生じる輻輳を抑えるためのＩＰネットワークの輻輳を制御する輻輳制御装置、輻輳制御方法および輻輳制御用プログラムを提供することを目的とする。
【課題を解決するための手段】
【００１０】
上記目的を達成するため、本発明は、ＩPネットワークに収容されている発ＩＰ端末と着ＩＰ端末間のセッションの確立、切断等のセッション設定の呼処理を実行するセッション設定処理装置、ＩＰネットワークの輻輳を制御する輻輳制御装置、ＩＰ端末のＩＰネットワーク上の現在のアドレスを蓄積するロケーションサーバからなるＩＰネットワークの輻輳を制御するために、セッション確立に失敗したセッション確立要求に関する情報を蓄積するセッション不完了情報蓄積手段と、セッション設定処理装置の処理負荷を計測するトラヒック計測手段と、トラヒック計測手段により計測したセッション設定処理装置の処理負荷が所定の閾値以上の場合に輻輳状態と判定し、輻輳制御が発動されていなければ輻輳制御を発動する輻輳判定手段と、トラヒック計測手段により計測したセッション設定処理装置の処理負荷が所定の閾値未満の場合に輻輳でないと判定し、輻輳制御が発動されていれば該輻輳制御を解除する規制解除判定手段と、前記セッション不完了情報蓄積手段に蓄積されたセッション確立に失敗したセッション確立要求に関する情報に基づいて、新たに生起したセッション確立要求を規制するセッション確立要求規制手段と、さらにセッション不完了情報蓄積手段により蓄積されている情報の一部の複製を蓄積するセッション不完了情報部分複製蓄積手段を備えたことを特徴としている。
【発明の効果】
【００１１】
本発明によれば、上記構成を採用することにより、ＩＰネットワーク上の各種サービスにおいて、特定アドレスあるいは特定地域への集中過負荷が生じても、セッション確立の不完了が生じたアドレスあるいはアドレスとこのアドレスに対応する不完了数を記録し、この情報を利用することにより間接的に集中過負荷アドレスあるいは集中過負荷地域を推定し、更に、再発信の多いアドレスに対するセッション確立要求を規制することができ、該アドレスあるいは該地域の輻輳の発生を回避することが可能となる。
【発明を実施するための最良の形態】
【００１２】
以下、ＩＰ電話をサービスするＩＰ電話ネットワークを例に、本発明の実施例を説明する。
【実施例１】
【００１３】
図１は、本発明の実施例１に係る、音声通信、映像通信などのサービスを提供するＩＰ電話ネットワーク（１０１）、発ＩＰ電話端末（１０２）、着ＩＰ電話端末（１０３）、セッション設定処理装置（１０４−１から１０４−Ｎ）、ロケーションサーバ（１０５）、および、セッション設定処理装置（１０４−１から１０４−Ｎ）に外付けされた輻輳制御装置（１０６−１から１０６−Ｎ）からなるＩＰ電話ネットワークの構成図である。
【００１４】
同図において、発ＩＰ電話端末（１０２）は、セッション設定処理装置（１０４−１から１０４−Ｎ）により、着ＩＰ電話端末（１０３）とのセッションが確立され、セッションが確立されたら発ＩＰ電話端末（１０２）と着ＩＰ電話端末（１０３）間で通話が可能となる。
【００１５】
図２は、本発明の実施例１に係る輻輳制御装置のブロック図である。
同図に示すように、輻輳制御装置（１０６）は、輻輳が生じたか否かを判定するための情報となるトラヒックを計測するトラヒック計測手段（２０１）、輻輳が生じたかどうかを判定する輻輳判定手段（２０２）、セッション不完了情報を蓄積するセッション不完了情報蓄積手段（２０３）、セッション確立要求を規制するセッション確立要求規制手段（２０４）、輻輳制御の規制解除の判定を行う規制解除判定手段（２０５）から構成される。
【００１６】
図３−Ａおよび図３−Ｂは、本発明の実施例１における輻輳制御装置（１０６）により行われる処理フローチャートである。
【００１７】
同図に示すように、まず、トラヒック計測手段（２０１）によりセッション設定処理装置（１０４）の処理負荷が計測される（ステップＳ３０１）。
【００１８】
輻輳判定手段（２０２）は、セッション設定処理装置（１０４）の処理負荷が与えられた閾値以上かどうか判定する（ステップＳ３０２）。判定の結果、セッション設定処理装置（１０４）の処理負荷が閾値以上ならば、次に、輻輳制御が既に発動済みかどうか判定する（ステップＳ３０３）。輻輳制御を発動していなければ（ステップＳ３０３：Ｎ）、輻輳制御を発動する（ステップＳ３０４）。
【００１９】
セッション設定処理装置（１０４）の処理負荷が与えられた閾値未満であれば（ステップＳ３０２：Ｎ）、次に、規制解除判定手段（２０５）は、輻輳制御が発動済みかどうか判定し（ステップＳ３０５）、発動済みならば（ステップＳ３０５：Ｙ）、輻輳制御の解除を行う（ステップＳ３０６）。
【００２０】
その後、セッション確立要求が発生すると（ステップＳ３０７）、セッション確立要求規制手段（２０４）は、輻輳制御が発動中かどうか判定し（ステップＳ３０８）、輻輳制御が発動していない場合には（ステップＳ３０８：Ｎ）、該セッション確立要求の処理の継続をセッション設定処理装置（１０４）に通知する（ステップＳ３０９）。
【００２１】
輻輳制御が発動中の場合には（ステップＳ３０８：Ｙ）、セッション不完了情報蓄積手段（２０３）は、該セッション確立要求の発ＩＰ電話端末アドレスと着ＩＰ電話端末アドレスの対が蓄積されているかどうか調べる（ステップＳ３１０）。
【００２２】
セッション確立要求の発ＩＰ電話端末アドレスと着ＩＰ電話端末アドレスの対がセッション不完了情報蓄積手段（２０３）に蓄積されていなければ（ステップＳ３１０：Ｎ）、該セッション確立要求の処理の継続をセッション設定処理装置（１０４）に通知する（ステップＳ３０９）。
【００２３】
セッション確立要求の発ＩＰ電話端末アドレスと着ＩＰ電話端末アドレスの対がセッション不完了情報蓄積手段（２０３）に蓄積されている場合には（ステップＳ３１０：Ｙ）、更に、発ＩＰ電話端末と着ＩＰ電話端末の対の不完了数が、不完了数の上位ｎ１番目（ｎ１はあらかじめ決められた１以上の正の整数パラメータ）までに入っているかどうか調べる（ステップＳ３１１）。
【００２４】
入っている場合には（ステップＳ３１１：Ｙ）、該セッションの確立要求を拒否をセッション設定処理装置（１０４）に通知する（ステップＳ３１２）。
【００２５】
次に、セッション確立要求の不完了が発生すると（ステップＳ３１３）、セッション不完了情報蓄積手段（２０３）は、不完了となったセッション確立要求の発ＩＰ電話端末のアドレスと着ＩＰ電話端末のアドレスの対がセッション不完了情報蓄積手段（２０３）に蓄積されているかどうか調べる（ステップＳ３１４）。
【００２６】
不完了となったセッション確立要求の発ＩＰ電話端末のアドレスと着ＩＰ電話端末のアドレスの対がセッション不完了情報蓄積手段（２０３）に蓄積されている場合には（ステップＳ３１４：Ｙ）、不完了数カウンタを１カウントアップする（ステップＳ３１５）。
【００２７】
不完了となったセッション確立要求の発ＩＰ電話端末のアドレスと着ＩＰ電話端末のアドレスの対がセッション不完了情報蓄積手段（２０３）に蓄積されていなければ（ステップＳ３１４：Ｎ）、当該発ＩＰ電話端末アドレスと着ＩＰ電話端末アドレスの対をセッション不完了情報蓄積手段（２０３）に蓄積し、このアドレス対に対応する不完了数を計数するカウンタを設けて１と設定する（ステップＳ３１６）。
【００２８】
セッション不完了情報蓄積手段（２０３）は、蓄積している不完了数を計数するカウンタを消去するタイミングかどうか調べる（ステップＳ３１６）。カウンタを消去するタイミングは、例えば一定時間間隔で消去するなど、あらかじめ決めておく。消去するタイミングであれば（ステップＳ３１６：Ｙ）、蓄積されているアドレス対とカウンタをすべて消去する（ステップＳ３１７）。
【実施例２】
【００２９】
次に、本発明の実施例２について説明する。
図４は、本発明の実施例２に係る、ＩＰネットワーク（４０１）、発ＩＰ電話端末（４０２）、着ＩＰ電話端末（４０３）、セッション設定処理装置（４０４−１から４０４−Ｎ）、ロケーションサーバ（４０５）、および、セッション設定処理装置（４０４−１から４０４−Ｎ）に外付けされた輻輳制御装置（４０６−１から４０６−Ｎ）からなるＩＰ電話ネットワークの構成図である。
【００３０】
同図において、発ＩＰ電話端末（４０２）は、セッション設定処理装置（４０４）により、着ＩＰ電話端末（４０３）とのセッションが確立され、セッションが確立されたら発ＩＰ電話端末（４０２）と着ＩＰ電話端末（４０３）間で通話が可能となる。
【００３１】
図５は、本発明の実施例２に係る輻輳制御装置（４０６）のブロック図である。
同図に示すように、輻輳制御装置（４０６）は、輻輳を判定するための情報となるトラヒックを計測するトラヒック計測手段（５０１）、輻輳が生じたかどうかを判定する輻輳判定手段（５０２）、セッション不完了情報を蓄積するセッション不完了情報蓄積手段（５０３）、セッション確立要求を規制するセッション確立要求規制手段（５０４）、輻輳制御の規制解除の判定を行う規制解除判定手段（５０５）、セッション不完了情報部分複製蓄積手段（５０６）から構成される。
【００３２】
図６−Ａおよび図６−Ｂは、本発明の実施例２における輻輳制御装置（４０６）により行われる処理フローチャートである。
【００３３】
同図に示すように、まず、輻輳制御装置（４０６）のトラヒック計測手段（５０１）は、セッション設定処理装置（４０４）の処理負荷を計測する（ステップＳ６０１）。
【００３４】
輻輳判定手段（５０２）は、セッション設定処理装置（４０４）の処理負荷が与えられた閾値以上かどうか判定する（ステップＳ６０２）。判定の結果、セッション設定処理装置（４０４）の閾値以上ならば（ステップＳ６０２：Ｙ）、次に、輻輳制御が既に発動済みかどうか判定し（ステップＳ６０３）、輻輳制御を発動していなければ（ステップＳ６０３：Ｎ）、輻輳制御を発動する（ステップＳ６０４）。
【００３５】
セッション設定処理装置（４０４）の処理負荷が与えられた閾値未満であれば（ステップＳ６０２：Ｎ）、規制解除判定手段（５０５）は、輻輳制御が発動済みかどうか判定し（ステップＳ６０５）、発動済みならば（ステップＳ６０５：Ｙ）、輻輳制御の解除を行う（ステップＳ６０６）。
【００３６】
輻輳制御が発動済みの場合、セッション不完了情報蓄積手段（５０３）は、発ＩＰ電話端末のアドレスと着ＩＰ電話端末のアドレスの対のうち、セッション確立要求不完了数の値の最大の値を含み、最大値から減少方向に向かってｎ２番目（ｎ２はあらかじめ決められた１以上の正の整数パラメータ）までの値に対応する発ＩＰ電話端末のアドレスと着ＩＰ電話端末のアドレスの対を選択し、これらのアドレスの対をセッション不完了情報部分複製蓄積手段（５０６）に蓄積する（ステップＳ６０７）。
【００３７】
セッション確立要求が発生すると（ステップＳ６０８）、セッション確立要求規制手段（５０４）は、輻輳制御が発動中かどうか判定し（ステップＳ６０９）、発動中でなければ、該セッションの確立要求の処理継続をセッション設定装置に通知する（ステップＳ６１０）。
【００３８】
輻輳制御が発動中の場合は、該セッション確立要求の発ＩＰ電話端末アドレスと着ＩＰ電話端末アドレスの対がセッション不完了情報部分複製蓄積手段（５０６）に蓄積されているかどうか調べる（ステップＳ６１１）。
【００３９】
セッション確立要求の発ＩＰ電話端末アドレスと着ＩＰ電話端末アドレスの対がセッション不完了情報部分複製蓄積手段（５０６）に蓄積されていれば（ステップＳ６１１：Ｙ）、該セッションの確立要求を拒否（規制）することをセッション設定処理装置（４０４）に通知する（ステップＳ６１２）。
【００４０】
セッション確立要求の発ＩＰ電話端末アドレスと着ＩＰ電話端末アドレスの対がセッション不完了部分複製蓄積手段（５０６）に蓄積されていなければ（ステップＳ６１１：Ｎ）、該セッションの確立要求の処理継続をセッション設定処理装置（４０４）に通知する（ステップＳ６１０）。
【００４１】
セッション不完了情報蓄積手段（５０３）は、セッション確立要求の不完了が発生すると（ステップＳ６１３）、不完了となったセッション確立要求の発ＩＰ電話端末のアドレスと着ＩＰ電話端末のアドレスの対がセッション不完了情報蓄積手段（５０３）に蓄積されているかどうか調べる（ステップＳ６１４）。
【００４２】
調べた結果、不完了となったセッション確立要求の発ＩＰ電話端末のアドレスと着ＩＰ電話端末のアドレスの対がセッション不完了情報蓄積手段（５０３）に蓄積されている場合には（ステップＳ６１４：Ｙ）、不完了数カウンタを１カウントアップする（ステップＳ６１５）。
【００４３】
不完了となったセッション確立要求の発ＩＰ電話端末のアドレスと着ＩＰ電話端末のアドレスの対がセッション不完了情報蓄積手段（５０３）に蓄積されていなければ（ステップＳ６１４：Ｎ）、発ＩＰ電話端末アドレスと着ＩＰ電話端末アドレスの対を蓄積し、このアドレス対に対応する不完了数を計数するカウンタを設けて１と設定する（ステップＳ６１６）。
【００４４】
セッション不完了情報蓄積手段（５０３）は、蓄積している不完了数を計数するカウンタを消去するタイミングかどうか調べる（ステップＳ６１７）。カウンタを消去するタイミングは、例えば一定時間間隔で消去するなど、あらかじめ決めておく。そして、消去するタイミングであれば、蓄積されているアドレス対とカウンタをすべて消去する（ステップＳ６１８）。
【００４５】
なお、上記実施例では、セッション不完了情報蓄積手段に、着ＩＰ端末のアドレスと発ＩＰ端末のアドレスの対ごとにセッション確立要求不完了数を記憶するようにしたが、着ＩＰ端末のアドレスまたは発ＩＰ端末のアドレスごとにセッション確立要求不完了数を記憶するようにしてもよい。
【００４６】
また、上記実施例では、最大値から上位所定番目（セッション不完了情報蓄積手段の場合はｎ１番目，セッション不完了情報部分複製蓄積手段の場合はｎ２番目）までに入っている場合にセッション確立を規制（拒否）するようにしたが、同一のアドレスがあればそのセッション確立を規制（拒否）するようにしてもよく、さらに最小値から所定番目（例えばセッション不完了情報蓄積手段の場合はｍ１番目，セッション不完了情報部分複製蓄積手段の場合はｍ２番目）までに入っている場合にセッション確立を規制（拒否）するようにしてもよい。さらには無条件で拒否する方法や該セッション確立要求をあらかじめ決められた確率（例えば３０％の割合）で拒否することも可能である。
【００４７】
また、上記実施例では、輻輳制御装置がセッション設定処理装置に外付けされた例を示したが、輻輳制御装置の機能をセッション設定処理装置に内蔵するようにしてもよい。
【００４８】
また、上記実施例では、セッション不完了情報部分複製蓄積手段に蓄積される情報を、セッション不完了情報蓄積手段に蓄積されている着端末アドレス、あるいは、着端末アドレスと発端末アドレスの対、あるいは、発端末アドレスのうち、不完了数に基づいて選択する例を示したが、セッション不完了情報蓄積手段に蓄積されている着端末アドレス、あるいは、着端末アドレスと発端末アドレスの対、あるいは、発端末アドレスのうち、アドレスがセッション不完了情報蓄積手段に蓄積された時刻について、現在から過去にさかのぼって時刻の新しい順番にアドレスを並べたとき、１番目のアドレスからｋ番目（ｋはあらかじめ決められた１以上の整数パラメータ）までのアドレス、あるいは、アドレス数がｋ以下であればすべてのアドレス、を選択するようにしてもよい。
【００４９】
なお、上述した輻輳制御装置を構成する各手段により実行される処理をプログラムコード化して作成した輻輳制御用プログラムは、ＣＤ−ＲＯＭ、ＦＤ、インターネットによるダウンロードなどにより市場に頒布することが可能である。
【図面の簡単な説明】
【００５０】
【図１】本発明の実施例１に係るＩＰ電話ネットワークの構成図である。
【図２】本発明の実施例１に係る輻輳制御装置のブロック図である。
【図３−Ａ】本発明の実施例１における輻輳制御装置により行われる処理フローチャートである（その１）。
【図３−Ｂ】本発明の実施例１における輻輳制御装置により行われる処理フローチャートである（その２）。
【図４】本発明の実施例２に係るＩＰ電話ネットワークの構成図である。
【図５】本発明の実施例２に係る輻輳制御装置のブロック図である。
【図６−Ａ】本発明の実施例２における輻輳制御装置により行われる処理フローチャートである（その１）。
【図６−Ｂ】本発明の実施例２における輻輳制御装置により行われる処理フローチャートである（その２）。
【符号の説明】
【００５１】
１０１，４０１：ＩＰ電話ネットワーク
１０２，４０２：発ＩＰ電話端末
１０３、４０３：着ＩＰ電話端末
１０４（１０４−Ａ〜１０４〜Ｎ），４０４（４０４−Ａ〜４０４〜Ｎ）：セッション設定処理装置
１０５，４０５：ロケーションサーバ
１０６（１０６−Ａ〜１０６−Ｎ），４０６（４０６−Ａ〜４０６ーＮ）：輻輳制御装置
２０１，５０１：トラヒック計測手段
２０２，５０２：輻輳判定手段
２０３，５０３：セッション不完了情報蓄積手段
２０４，５０４：セッション確立要求規制手段
２０５，５０５：規制解除判定手段
５０６：セッション不完了情報部分複製蓄積手段
【図１】
2005167770.tif 000003
【図２】
2005167770.tif 000004
【図３−Ａ】
2005167770.tif 000005
【図３−Ｂ】
2005167770.tif 000006
【図４】
2005167770.tif 000007
【図５】
2005167770.tif 000008
【図６−Ａ】
2005167770.tif 000009
【図６−Ｂ】
2005167770.tif 000010